(57)【要約】【課題】ペン付き箸は、携帯が不便であり、且つ下蓋が一つだけあるので、下蓋が箸本体をカバーするときに、ペン芯は保護されない状態にある欠点があった。【解決手段】一端が閉鎖端であり、他端が開放端であるキャップ本体を有し、前記キャップ本体の側面には、挟止片が連接してあり、前記挟止片には、対象物に安定に貼り付けるためのフラット面が設けてあり、前記キャップ本体の前記挟止片に隣接する側面には、接合ブロックが設けてあり、前記キャップ本体の前記接合ブロックの反対側面には、別のキャップ本体にある接合ブロックと嵌合して結合可能な接合台が設けてあり、前記キャップ本体の前記挟止片の反対側面には、箸を置くことが可能な放置部が設けてあることを特徴とする、箸収納用キャップ。【選択図】図２
0003129159.tif 000002
【実用新案登録請求の範囲】
【請求項１】
一端が閉鎖端であり、他端が開放端であるキャップ本体を有し、
前記キャップ本体の側面には、挟止片が連接してあり、
前記挟止片には、対象物に安定に貼り付けるためのフラット面が設けてあり、
前記キャップ本体の前記挟止片に隣接する側面には、接合ブロックが設けてあり、
前記キャップ本体の前記接合ブロックの反対側面には、別のキャップ本体にある接合ブロックと嵌合して結合可能な接合台が設けてあり、
前記キャップ本体の前記挟止片の反対側面には、箸を置くことが可能な放置部が設けてあることを特徴とする、
箸収納用キャップ。
【請求項２】
前記接合台には、別のキャップ本体の接合ブロックの断面形状と互いに補いあって脱着自在に結合可能な嵌合溝が設けてあることを特徴とする、請求項１に記載の箸収納用キャップ。
【請求項３】
前記接合ブロックはテーパ形状を呈することを特徴とする、請求項２に記載の箸収納用キャップ。
【請求項４】
前記接合ブロックは楔形断面を呈し、なお、前記接合台にある嵌合溝は前記接合ブロックと嵌合可能な楔形溝であることを特徴とする、請求項２に記載の箸収納用キャップ。
【請求項５】
前記接合ブロックの両側の外縁には凸縁がそれぞれ設けてあり、前記接合台の嵌合溝の両側の壁面には、前記凸縁と嵌合可能な溝が設けてあることを特徴とする、請求項２に記載の箸収納用キャップ。
【請求項６】
前記放置部は、円弧形断面を持つ凹み面を有することを特徴とする、請求項１に記載の箸収納用キャップ。
【請求項７】
前記放置部は、凹凸が連続する波形断面を有するものであることを特徴とする、請求項１に記載の箸収納用キャップ。
【請求項８】
前記キャップ本体は、その閉鎖端に貫通孔が開設してあることを特徴とする、請求項１に記載の箸収納用キャップ。
【考案の詳細な説明】
【技術分野】
【０００１】
本考案は箸収納用キャップに係り、特に、箸に互いに嵌合して結合可能であり、平常時に箸を挿入して保管でき、食事中に、卓面に放置して箸をその上で安定に置くこと（レスト）が可能な、箸収納用キャップに関するものである。
【背景技術】
【０００２】
目下、社会の形態が変化し続けて商工社会になり、緊張な商工社会において、外食する国民が大幅に増加しており、食器の衛生を確保するために、使い捨て式の食器が大量に使用されるようになっている。
使い捨て式の食器のうち、例えば使い捨て式箸は、カビの発生を防止することにより長期に保存できるために、製作過程中に、二酸化硫を含む化学溶液に浸すことが必要であり、その結果、使い捨て式箸に残留する二酸化硫が食事のうちに使用者の消化器官に進入してしまい、使用者の健康に悪影響を与える。また、使い捨て式食器は、使用後に廃棄されるので、ゴミ量が膨大になり、環境保全に良くない問題があった。
【０００３】
したがって、外食する国民は、樹脂製またはステンレスなど金属製の箸を身の回りに持つことがどんどん増加している。
【０００４】
また、近代の商工社会において、何時でも書くことを可能にするために、ペンを身の回りに持つことが習慣になり、したがってペンと箸とは、外出の際に不可欠のものであり、両者の機能を結合したものがあれば、使用者の生活はもっと便利になる。
【０００５】
本願の発明者は、以前に、ペンと箸との機能を結合した「ペン付き箸」を提案したことがあり、これは、図１３に示すように、当該ペン付き箸２の構成は、ペン身部２１の一端に、ペン芯２２１を内部に含んだペンヘッド２２が固定してあり、ペン身部２１の他端に、箸本体２３が設けてあり、平常時に、前記箸本体２３が下蓋２４にカバーされ、前記ペン芯２２１により使用者は書くことができ、なお、食事時に、前記下蓋２４によりペンヘッド２２をカバーすると、全体は箸として使用することができる。
【考案の開示】
【考案が解決しようとする課題】
【０００６】
しかしながら、上記のペン付き箸は、携帯が不便であり、且つ下蓋が一つだけあるので、下蓋が箸本体をカバーするときに、ペン芯は保護されない状態にある欠点があった。
【課題を解決するための手段】
【０００７】
上記欠点を解決するためになされた本願の第１考案は、一端が閉鎖端であり、他端が開放端であるキャップ本体を有し、前記キャップ本体の側面には、挟止片が連接してあり、前記挟止片には、対象物に安定に貼り付けるためのフラット面が設けてあり、前記キャップ本体の前記挟止片に隣接する側面には、接合ブロックが設けてあり、前記キャップ本体の前記接合ブロックの反対側面には、別のキャップ本体にある接合ブロックと嵌合して結合可能な接合台が設けてあり、前記キャップ本体の前記挟止片の反対側面には、箸を置くことが可能な放置部が設けてあることを特徴とする箸収納用キャップであることを要旨としている。
【０００８】
本願の第２考案では、前記接合台には、別のキャップ本体の接合ブロックの断面形状と互いに補いあって脱着自在に結合可能な嵌合溝が設けてあることを特徴とする、本願の第１考案に記載の箸収納用キャップであることを要旨としている。
【０００９】
本願の第３考案では、前記接合ブロックはテーパ形状を呈することを特徴とする本願の第２考案に記載の箸収納用キャップであることを要旨としている。
【００１０】
本願の第４考案では、前記接合ブロックは楔形断面を呈し、なお、前記接合台にある嵌合溝は前記接合ブロックと嵌合可能な楔形溝であることを特徴とする本願の第２考案に記載の箸収納用キャップであることを要旨としている。
【００１１】
本願の第５考案では、前記接合ブロックの両側の外縁には凸縁がそれぞれ設けてあり、前記接合台の嵌合溝の両側の壁面には、前記凸縁と嵌合可能な溝が設けてあることを特徴とする本願の第２考案に記載の箸収納用キャップであることを要旨としている。
【００１２】
本願の第６考案では、前記放置部は、円弧形断面を持つ凹み面を有することを特徴とする本願の第１考案に記載の箸収納用キャップであることを要旨としている。
【００１３】
本願の第７考案では、前記放置部は、凹凸が連続する波形断面を有するものであることを特徴とする本願の第１考案に記載の箸収納用キャップであることを要旨としている。
【００１４】
本願の第８考案では、前記キャップ本体は、その閉鎖端に貫通孔が開設してあることを特徴とする本願の第１考案に記載の箸収納用キャップであることを要旨としている。
【考案の効果】
【００１５】
本考案の箸収納用キャップによれば、次のような効果がある。
（１）本考案の箸収納用キャップの両側に接合ブロックと接合台とがそれぞれ設けてあり、接合ブロックと接合台とにより、二つの箸収納用キャップを嵌合して結合することができ、これにより、ペン付き箸を何時でも一対に携帯することが可能になる。
【００１６】
（２）本考案の箸収納用キャップの一側には衣服のポケットに挟止するための挟止片が設けてあるので、下蓋とキャップとをそれぞれペン付き箸にカバーしたあと、ペン付き箸は衣服のポケットに挟止して携帯することができる。
【００１７】
（３）本考案の箸収納用キャップの挟止片にフラット面を有する場合には、前記フラット面を下に向けて卓面の上で放置すると、食事を一時に中断するときに、箸収納用キャップの上に向いている放置部にペン付き箸を安定させて置くことができる。
【００１８】
（４）本考案の箸収納用キャップの放置部は、円弧形断面を持つ凹み面を有してもいいし、凹凸が連続する波形断面を有してもよく、そうすると、ペン付き箸の不意の回動による、卓面または地面への墜落を防止することができる。
【００１９】
（５）本考案の箸収納用キャップの閉鎖端には、ペン付き箸のペンヘッドのペン芯に対応する貫通孔が開設してあり、これにより、ペン付き箸のペンヘッドを箸収納用キャップに挿入する場合には、ペン芯が閉鎖端に直接衝突して損壊することを回避することができる。
【考案を実施するための最良の形態】
【００２０】
以下、添付図面を参照して本考案の好適な実施の形態を詳細に説明する。
【実施例】
【００２１】
まず、図１を参照する。図１は本考案の分解斜視図である。本考案のキャップ１は、各種類の箸（例えば一般の箸、組合箸、伸縮箸またはペン付き箸など）に適用可能である。
【００２２】
次に、ペン付き箸への適用例を例にして詳細に説明する。図２に示すように、本考案の箸収納用キャップ１は、主に、一端が閉鎖端であり、他端が開放端であり、ペン付き箸２のペンヘッド２２をカバーするキャップ本体１１を有し、前記キャップ本体１１の閉鎖端に、ペンヘッド２２のペン芯２２１に対応する貫通孔１１１が開設してある。
【００２３】
また、前記キャップ本体１１の外周面に、衣服のポケットなどに挟止するための挟止片１２が連接してある。
【００２４】
前記挟止片１２は対象物に安定に貼り付けるためのフラット面１２１が設けてある。
【００２５】
前記キャップ本体１１の前記挟止片１２に隣接する側には、接合ブロック１３が設けてあり、前記接合ブロック１３にはテーパ状の傾斜辺１３１が設けてある。
【００２６】
また、前記キャップ本体１１の前記接合ブロック１３の反対側に、別のキャップ本体１１にある接合ブロック１３と嵌合して結合可能な接合台１４が設けてある。
【００２７】
前記接合台１４には、図３に示すように、前記接合ブロック１３の断面形状と互いに補い、別のキャップ本体１１の接合ブロック１３と脱着自在に結合可能な嵌合溝１４１が設けてあり、また、前記キャップ本体１１の前記挟止片１２の反対側に、箸を置くことのできる放置部１５が設けてあり、前記放置部１５は、図４に示すように、円弧形断面を持つ凹み面１５１を有してもいいし、図５に示すように、凹凸が連続する波形断面１５２を有してもよい。
【００２８】
次に、図６を参照して本考案の使用状態を詳細に説明する。このような構成により、ペン付き箸２にキャップ１をカバーして、キャップ１をカバーした二つの前記ペン付き箸２のうちの何れか一つにある接合ブロック１３を、別のキャップ１にある接合台１４に設けられた嵌合溝１４１に嵌合すると、ペン付き箸２が結合して一対になり、平常時に、キャップ１にある挟止片１２により、衣服のポケットなどにペン付き箸２を挟止して、身の回りに携帯することができるようになる。
【００２９】
また、食事時には、図７に示すように、ペン付き箸２からキャップ１を取り外して、キャップ１の挟止片１２にあるフラット面１２１により、卓面にキャップ１を安定に放置することができ、また、図８に示すように、二つのキャップ１を互いに接合すると、キャップ１の放置の安定性がもっと向上になり、このとき、一対のペン付き箸２を一般の箸として使用することができる。
【００３０】
また、食事を一時中断するときに、キャップ１の放置部１５に一対のペン付き箸２を置くことができ、そして放置部１５を、図４に示すように、円弧形断面を持つ凹み面にしてもいいし、図５に示すように、凹凸が連続する波状面にしてもよく、そうすると、一対のペン付き箸２を置くことの安定性が更に向上し、ペン付き箸２の不意の回動による、卓面または地面への墜落を防止することができる。
【００３１】
また、図９と図１０に示すように、接合ブロック１３を楔形溝にして、接合台１４に、前記接合ブロック１３の断面形状と互いに補い、別のキャップ本体１１の接合ブロック１３と脱着自在に結合可能な嵌合溝１４１が設けてもいいし、又は、図１１と図１２に示すように、接合ブロック１３の両側の外縁に凸縁１３２がそれぞれ設け、接合台１４の嵌合溝１４１の両側の壁面に前記凸縁１３２と嵌合可能な溝を設けてもよく、そうすると、一対のキャップ１は、互いに接合すると、容易に分離することができなくなる。
【図面の簡単な説明】
【００３２】
【図１】本考案の分解斜視図である。
【図２】本考案の一部の分解斜視拡大図である。
【図３】本考案の一部の拡大断面図である。
【図４】本考案の側面図１である。
【図５】本考案の側面図２である。
【図６】本考案の使用状態を示す概略図１である。
【図７】本考案の使用状態を示す概略図２である。
【図８】本考案の使用状態を示す概略図３である。
【図９】本考案の実施例２の一部の分解斜視拡大図である。
【図１０】本考案の実施例２の一部の拡大断面図である。
【図１１】本考案の実施例３の一部の分解斜視拡大図である。
【図１２】本考案の実施例３の一部の拡大断面図である。
【図１３】従来のペンタイプ箸の分解斜視図である。
【符号の説明】
【００３３】
１        キャップ      １１      キャップ本体
１１１    貫通孔        １２      挟止片
１２１    フラット面    １３      接合ブロック
１３１    傾斜辺        １３２    凸縁
１４      接合台        １４１    嵌合溝
１４２    溝縁          １５      放置部
１５１    凹み面        １５２    波状面
２        ペン付き箸    ２１      ペン身部
２２      ペンヘッド    ２２１    ペン芯
２３      箸本体        ２４      下蓋
【図１】
0003129159.tif 000003
【図２】
0003129159.tif 000004
【図３】
0003129159.tif 000005
【図４】
0003129159.tif 000006
【図５】
0003129159.tif 000007
【図６】
0003129159.tif 000008
【図７】
0003129159.tif 000009
【図８】
0003129159.tif 000010
【図９】
0003129159.tif 000011
【図１０】
0003129159.tif 000012
【図１１】
0003129159.tif 000013
【図１２】
0003129159.tif 000014
【図１３】
0003129159.tif 000015